(57)【要約】【課題】  小型の駆動用ドライバＩＣを用いて両面パネルを駆動することで、安価なアクティブ型の両面表示装置を実現できる構成とする。【解決手段】  メインパネル１とサブパネル２でゲート信号７とソース信号８を共有し、サブパネル２にオフ表示ソース信号発生回路４とソース信号切り替え回路５を設けて、メインパネル１に画像表示しているときに、サブパネル２を白状態か黒状態の表示とする。【選択図】  図１
2006227455.tif 000002
【特許請求の範囲】
【請求項１】
トランジスタ素子を有するアクティブ型の第一及び第二の表示パネルと駆動用ドライバＩＣを備える表示装置であって、
前記第一の表示パネルと前記第二の表示パネルを駆動するための駆動用信号は、ゲート信号とソース信号とＶＣＯＭ信号を備えており、前記ゲート信号と前記ソース信号は前記第一の表示パネルと前記第二の表示パネルに共通して供給され、
前記第二の表示パネルに、前記第一の表示パネルと同じ画像を表示するためのソース信号と、前記第二の表示パネルの画像とは無関係の特定の表示をするための特定表示用ソース信号とを切り替えるソース信号切り替え回路が形成されたことを特徴とする表示装置。
【請求項２】
前記第二の表示パネルに、前記第一の表示パネルの画像とは無関係の特定の表示をするための特定表示用ソース信号を発生する特定表示用ソース信号発生回路が形成されたことを特徴とする請求項１に記載の表示装置。
【請求項３】
前記特定表示用ソース信号は、前記第二の表示パネルの全画面をオフ状態の表示にすることを特徴とする請求項１または２に記載の表示装置。
【請求項４】
前記特定表示用ソース信号は、前記第二の表示パネルの全画面をオン状態の表示にすることを特徴とする請求項１または２に記載の表示装置。
【請求項５】
前記第一の表示パネルに画像表示すると同時に、前記第二の表示パネルには前記特定表示用ソース信号を供給して、前記第二の表示パネルの全画面をオン状態またはオフ状態の表示とすることを特徴とする請求項２に記載の表示装置。
【請求項６】
前記第二の表示パネルには低温ポリシリコンを用いたトランジスタ素子が形成されたことを特徴とする請求項１〜５のいずれか一項に記載の表示装置。
【発明の詳細な説明】
【技術分野】
【０００１】
本発明は、アクティブマトリクス型液晶パネルなどの表示パネルが両面に配置された両面表示型の液晶表示装置、及びこれを用いた携帯電話やＰＤＡなどの電子機器に関する。
【背景技術】
【０００２】
一般的なアクティブマトリックス型表示装置は、表示画面を構成する各々の画素にＴＦＴ素子が形成してあり、ＴＦＴ素子のドレインと画素が接続され、画素とＴＦＴ素子が設けられたガラス基板と、対向するコモン電極が設けられたガラス基板との間に液晶が挟持された構造をしている。ＴＦＴ素子のゲートに信号を伝達するためのゲート配線と、ソースに信号を伝達するためのソース配線がマトリックス状に形成してあり、ゲート配線には線順次走査のゲート信号が印加され、ソース配線には画像データに対応した電圧レベルのソース信号が印加される。ＴＦＴのゲートがオンの期間にＴＦＴのソースとドレインを介して、画素とコモン電極で形成された画素容量に電荷が供給され、供給された電荷がゲートのオフの期間保持されることにより、液晶に電圧が印加され続ける。コモン電極は全画素に共通で、ＶＣＯＭ信号が印加される。ゲート配線とソース配線のマトリックスの交点の数が画素数に対応するため、画面の画素数が多くなるにつれ、それに対応したゲート信号とソース信号を備えた駆動用ドライバを用意する必要がある。また、各画素の表示データを蓄えるメモリも、画面の画素数が多くなるにつれ大きな容量を必要とする。
【０００３】
近年の携帯電話に用いられるＴＦＴ液晶パネルでは、携帯電話のクラムシェル型化によりメインパネルとサブパネルを搭載した機種が多く発売されている。メインパネルとサブパネルを一体化した表示装置を両面パネルと称している。従来の両面パネルでは、ドライバＩＣはメインパネル用およびサブパネル用とそれぞれのパネルに専用のドライバを用いることが多い。また、両面パネル用ドライバＩＣも製品化されているが、両面パネル用ドライバＩＣはメインパネルとサブパネルの画素を足した分の出力信号数を持つ。例えば、株式会社ルネサステクノロジ社のＨＤ６６７７７では、メインパネル１３２（ＲＧＢ）×１７６ドットとサブパネル９６（ＲＧＢ）×９６ドットに対応した出力信号数を持つ１チップのドライバＩＣである。メインパネルとサブパネルは１３２×３（ＲＧＢ）本のソース信号を共有化している。ゲート信号はメインパネル用とサブパネル用で独立している。メインパネルを表示する場合は、１３２×３（ＲＧＢ）のソース信号とメインパネル用の１７６本のゲート信号を駆動する。また、サブパネルを表示するときには、１３２×３（ＲＧＢ）分の信号のうち９６×３（ＲＧＢ）分のソース信号とサブパネル用の９６本のゲート信号を駆動する。
【０００４】
また、従来の両面パネルでは、ドライバＩＣは、メインパネル上のガラス基板上に異方性導電膜で接続するか、ＦＰＣ上にドライバＩＣの金バンプとＦＰＣのスズメッキリードを共晶接続し、更にＦＰＣを異方性導電膜でメインパネルに接続していた（例えば、特許文献１参照）。
【特許文献１】特開２００１−２８２１４５号公報（第５頁、第１図）
【発明の開示】
【発明が解決しようとする課題】
【０００５】
しかしながら、この両面パネルでは、携帯電話用途ではメインパネルとサブパネルを同時に表示することはないにもかかわらず、それぞれの画素に対応する駆動信号数とメモリ容量が必要になる、あるいは、駆動用ドライバＩＣのサイズが大きいためドライバＩＣの接続の平行度を安定するのが難しくなり、不良が多発する、という課題があった。そこで、本発明の目的は、駆動用ドライバＩＣのチップ面積を小さくできる構成の表示装置を提供することにある。
【課題を解決するための手段】
【０００６】
本発明は、トランジスタ素子を用いたアクティブ型のメインパネル及びサブパネルと駆動用ドライバＩＣを備える表示装置において、メインパネルとサブパネルでゲート信号とソース信号を共用する構成とした。これらの信号が共通なので、駆動用ドライバＩＣはメインパネルに対応する駆動信号数とメモリ容量だけ持てば足りるため、ＩＣが小型化できる。また、サブパネルにメインパネルと同じ画像を表示するためのソース信号と、メインパネルの画像とは無関係の特定の表示をするための特定表示用ソース信号とを切り替えるソース信号切り替え回路を設けた。さらに、サブパネルにメインパネルの画像とは無関係の特定の表示をするための特定表示用ソース信号を発生する特定表示用ソース信号発生回路を設けた。そして、特定画面表示用ソース信号発生回路に、全画面が白状態か黒状態の表示になるようなソース信号を発生させることにより、メインパネルに画像表示すると同時に、サブパネルは白状態か黒状態の表示になるようにソース信号を切り替えて表示させることができる。メインパネルとサブパネルには低温ポリシリコンＴＦＴ素子を用いた。
【発明の効果】
【０００７】
本発明によれば、メインパネルとサブパネルのゲート信号とソース信号が共用なので、駆動用ドライバＩＣはメインパネルの画素数に対応する駆動信号数とメモリ容量だけ持てば足りる。そのため、ＩＣが小型化でき安価になり、ＩＣ実装でのボンディング平行度も安定した。また、サブパネルに特定画面表示用ソース信号発生回路とソース信号切り替え回路を設けることにより、メインパネルに画像を表示しているときにサブパネルを白状態か黒状態の表示にすることができ、メインパネルに表示している画像をサブパネルに表示しないようにできる。
【発明の実施するための最良の形態】
【０００８】
本発明の表示装置は、トランジスタ素子を有するアクティブ型の第一及び第二の表示パネルと駆動用ドライバＩＣを備える表示装置であって、第一の表示パネルと第二の表示パネルを駆動するための駆動用信号は、ゲート信号とソース信号とＶＣＯＭ信号を備えており、ゲート信号とソース信号は第一の表示パネルと第二の表示パネルに共通して供給されている。そして、第二の表示パネルに、第一の表示パネルと同じ画像を表示するためのソース信号と、第二の表示パネルの画像とは無関係の特定の表示をするための特定表示用ソース信号とを切り替えるソース信号切り替え回路が形成されている。
【０００９】
さらに、第二の表示パネルには、第一の表示パネルの画像とは無関係の特定の表示をするための特定表示用ソース信号を発生する特定表示用ソース信号発生回路が形成されている。このとき、特定表示用ソース信号は、第二の表示パネルの全画面をオフ状態の表示、またはオン状態の表示にする。また、第一の表示パネルに画像表示すると同時に、第二の表示パネルには特定表示用ソース信号を供給して、第二の表示パネルの全画面をオン状態またはオフ状態の表示とする。
【００１０】
本発明の表示装置の構成は、メインパネルとサブパネルを具備し、駆動用ドライバＩＣをＦＰＣ上に実装し、そのＦＰＣとメインパネルを異方性導電膜で接続してドライバＩＣから出力された信号をメインパネルに伝達する。また、ＦＰＣを接続したメインパネルの電極に隣接した場所に電極を設けて、その電極に別のＦＰＣを異方性導電膜で接続し、さらにそのＦＰＣを異方性導電膜でサブパネルに接続する。この形態により、ドライバＩＣから出力された信号をメインパネルに伝達すると同時に、サブパネルにも伝達することができる。
【実施例１】
【００１１】
以下に本発明の実施例を図面に基づいて説明する。本実施例による表示装置の構成を図１に模式的に示す。図示するように、メインパネル１とサブパネル２は、ドライバＩＣ３から出力されるゲート信号７とソース信号８とＶＣＯＭ信号９を共用している。サブパネル２にはオフ表示ソース信号発生回路４とソース信号切り替え回路５が形成されており、オフ表示ソース信号発生回路４にＶＣＯＭ信号９、ソースハイレベル電圧ＶＳＨ１２、およびソースローレベル電圧ＶＳＬ１３が入力される。また、ソース信号切り替え回路５には、メインパネルと共用のソース信号８、オフ表示ソース信号発生回路４の出力であるオフ表示ソース信号１０、およびソース信号切り替え信号１４が入力され、サブパネル表示用ソース信号１１が出力されてサブパネル画素領域６に伝達される。メインパネル１は、１２８（ＲＧＢ）×１６０ドットの画素構成である。表示のモードは透過型でポジ表示ある。サブパネル２は９６（ＲＧＢ）×６４ドットの画素構成である。表示のモードは半透過型でポジ表示である。メインパネル１とサブパネル２は画素構成が違うため、サブパネル２には、一部分の信号だけを接続している。具体的には、メインパネル１のソース信号は、３８４（＝１２８ｘ３）本分あるので、その中の２８８（＝９６ｘ３）本分をサブパネル２の画像表示用ソース信号として用いる。また、メインパネル１のゲート信号は、１６０本分あるので、その中の６４本分をサブパネル２の画像表示用ソース信号として用いる。
【００１２】
ゲート信号波形、ＶＣＯＭ信号波形、ソース信号波形の一例を図３に示す。ゲートには線順次走査のゲート信号を印加し、ソースには画像データに対応した電圧レベルのソース信号を供給する。コモン電極にはＶＣＯＭ信号を印加する。図３で、ゲート信号のオンレベルはＶＧＨ＝＋１４Ｖ、オフレベルはＶＧＬ＝−８Ｖである。ＶＣＯＭ信号は、ＶＣＯＭＨ＝＋４ＶとＶＣＯＭＬ＝−１Ｖの矩形波である。このとき、例えば、ゲートがオンの期間にＶＣＯＭ信号がＶＣＯＭＬ＝−１Ｖ、ソース信号がＶＳＬ＝０Ｖである場合、その電位差に対応した電荷が画素容量に供給され、画素容量の電圧が＋１Ｖとなり、ゲートがオフの期間その電圧が保持されるため、画素は表示オフとなる。ここで、パネルはポジ表示なので、全画素が表示オフであれば、全画面が白状態の表示となる。また、ゲートがオンの期間にＶＣＯＭ信号がＶＣＯＭＬ＝−１Ｖ、ソース信号がＶＳＨ＝＋４Ｖの場合、その電位差に対応した電荷が画素容量に供給され、画素容量の電圧が＋５Ｖとなり、ゲートがオフの期間その電圧が保持されるため、画素は表示オンとなる。パネルはポジ表示なので、全画素が表示オンであれば、全画面が黒状態の表示となる。
【００１３】
また、例えば、ゲートがオンの期間にＶＣＯＭ信号がＶＣＯＭＨ＝＋５Ｖ、ソース信号がＶＳＨ＝４Ｖである場合、その電位差に対応した電荷が画素容量に供給され、画素容量の電圧が−１Ｖとなり、ゲートがオフの期間その電圧が保持されるため、画素は表示オフとなる。パネルはポジ表示なので、全画素が表示オフであれば、全画面が白状態の表示となる。また、ゲートがオンの期間にＶＣＯＭ信号がＶＣＯＭＨ＝＋５Ｖ、ソース信号がＶＳＨ＝０Ｖである場合、その電位差に対応した電荷が画素容量に供給され、画素容量の電圧が−５Ｖとなり、ゲートがオフの期間その電圧が保持されるため、全画素が表示オンとなる。パネルがポジ表示なので、全画素が表示オンであれば、全画面が黒状態の表示となる。また、ソース信号をＶＳＬとＶＳＨの間の電圧レベルに設定することにより、画素は表示オンと表示オフの中間のレベルを表示することができる。また、ゲートを線順次走査しながら、各ソース信号を制御することにより、各画素容量に保持する電圧を独立に制御することができ、表示パネルに任意の画像を表示することができる。
【００１４】
本実施例の表示装置のサブパネルに設けたオフ表示ソース信号発生回路４とソース信号切り替え回路５の回路構成を図２に模式的に示す。図示するように、オフ表示ソース信号発生回路４は、ＶＣＯＭ信号９とソースハイレベル電圧ＶＳＨ１２とソースローレベル電圧ＶＳＬ１３からレベルシフタ２１によりオフ表示ソース信号１０を作る。そのオフ表示ソース信号１０とメインパネルと共用のドライバＩＣ出力ソース信号８をソース信号切り替え回路５の切り替えスイッチ２２で切り替えて、サブパネル用ソース信号１１としてサブパネル画素領域６に供給することにより、サブパネルに全画面白状態の表示をするか、メインパネルと同じ表示をするかを選択する。切り替えはソース信号切り替え信号１４で行う。
【００１５】
クラムシェル型携帯電話では、一般にメインパネルに表示するときはサブパネルに表示はしないことが要求されるが、サブパネル２に設けたオフ表示ソース信号発生回路４から出力されるオフ表示ソース信号で駆動することによりサブパネル２はメインパネル１の表示状態に関わらず全画面白表示になるので、その要求を満足できる。このとき、表示に使用されないサブパネル２は消費電力が低い白表示なので、電力的にも有利である。
【００１６】
一方、サブパネル２に表示するときはドライバＩＣ３から出力されるメインパネルと共用のソース信号８で駆動することにより任意の画像表示が可能である。このときはクラムシェル型携帯電話を閉じてメインパネル１の表示は見えない状態なので、メインパネル１にサブパネル２と同じ表示がされても問題にはならない。本実施例ではサブパネルがポジ表示なので、オフ表示ソース信号を印加することで白表示となるが、ネガ表示の場合にはオフ表示ソース信号を印加することで黒表示となる。また、メインパネル１に表示するときはサブパネル２にオフ表示ソース信号を印加するように設定したが、オフ表示ソース信号を反転させて、オン表示ソース信号とすればサブパネル２はポジ表示の場合に黒表示、ネガ表示の場合に白表示とすることができる。
【００１７】
なお、本実施例ではサブパネル２のＶＣＯＭ信号はメインパネル１のＶＣＯＭ信号と共用としたが、２つのパネルの特性の差が大きい場合は、サブパネル２にフリッカが発生する場合がある。このときはサブパネル２用のＶＣＯＭ信号として、メインパネルパネル１用のＶＣＯＭ信号から電圧レベルを変更したＶＣＯＭ信号を用いることでフリッカをなくすことができる。
【００１８】
モジュールの構造としては、図６に示すように、メインパネル１に、ドライバＩＣ３を接続したＦＰＣ６１と、サブパネル２に必要な信号を伝達するためのＦＰＣ６２を接続した構造である。メインパネル、およびサブパネルは低温ポリシリコンＴＦＴ素子を用いたアクティブ型の表示パネルを用いた。
【実施例２】
【００１９】
本実施例の表示装置のドライバＩＣと表示パネルの接続構成を図４に模式的に示す。図示するように、メインパネル１とサブパネル２は、ドライバＩＣ３から出力されるゲート信号７とソース信号８とＶＣＯＭ信号９を共用している。サブパネルにはソース信号切り替え回路５が設けてあり、ソース信号切り替え回路５には、メインパネルと共用のソース信号８、ドライバＩＣ３の出力であるオフ表示ソース信号４１、およびソース信号切り替え信号１４が入力され、サブパネル表示用ソース信号１１が出力されてサブパネル画素領域６に伝達される。メインパネル１は、１２８（ＲＧＢ）×１６０ドットの画素構成である。表示のモードは透過型でポジ表示ある。サブパネル２は９６（ＲＧＢ）×６４ドットの画素構成である。表示のモードは半透過型でポジ表示である。メインパネル１とサブパネル２は画素構成が違うため、サブパネル２には、一部分の信号だけを接続している。具体的には、メインパネル１のソース信号は、３８４（＝１２８ｘ３）本分あるので、その中の２８８（＝９６ｘ３）本分をサブパネル２の画像表示用ソース信号として用いる。また、メインパネル１のゲート信号は、１６０本分あるので、その中の６４本分をサブパネル２の画像表示用ソース信号として用いる。また、ＩＣ３から出力されるソース信号の中で前記３８４本分に使われない残りのソース信号の１本分をオフ信号ソース信号４１として用いる。このオフ信号ソース信号４１は、メインパネル、サブパネルの表示状態に関係なく、常にオフ表示のソース信号とする。
【００２０】
ゲート信号波形、ＶＣＯＭ信号波形、ソース信号波形の一例を図３に示す。ゲートには線順次走査のゲート信号を印加し、ソースには画像データに対応した電圧レベルのソース信号を供給する。コモン電極にはＶＣＯＭ信号を印加する。図３で、ゲート信号のオンレベルはＶＧＨ＝＋１４Ｖ、オフレベルはＶＧＬ＝−８Ｖである。ＶＣＯＭ信号は、ＶＣＯＭＨ＝＋４ＶとＶＣＯＭＬ＝−１Ｖの矩形波である。このとき、例えば、ゲートがオンの期間にＶＣＯＭ信号がＶＣＯＭＬ＝−１Ｖ、ソース信号がＶＳＬ＝０Ｖの場合、その電位差に対応した電荷が画素容量に供給され、画素容量の電圧が＋１Ｖとなり、ゲートがオフの期間その電圧が保持されるため、画素は表示オフとなる。パネルがポジ表示なので、全画素が表示オフとなれば、全画面が白状態の表示となる。また、ゲートがオンの期間にＶＣＯＭ信号がＶＣＯＭＬ＝−１Ｖ、ソース信号がＶＳＨ＝＋４Ｖの場合、その電位差に対応した電荷が画素容量に供給され、画素容量の電圧が＋５Ｖとなり、ゲートがオフの期間その電圧が保持されるため、表示オンとなる。パネルがポジ表示なので、全画素が表示オンとなれば、全画面が黒状態の表示となる。
【００２１】
また、例えば、ゲートがオンの期間にＶＣＯＭ信号がＶＣＯＭＨ＝＋５Ｖ、ソース信号がＶＳＨ＝４Ｖである場合、その電位差に対応した電荷が画素容量に供給され、画素容量の電圧が−１Ｖとなり、ゲートがオフの期間その電圧が保持されるため、表示はオフとなる。ここで、パネルがポジ表示なので、全画素が表示オフであれば、全画面が白状態の表示となる。また、ゲートがオンの期間にＶＣＯＭ信号がＶＣＯＭＨ＝＋５Ｖ、ソース信号がＶＳＨ＝０Ｖの場合、その電位差に対応した電荷が画素容量に供給され、画素容量の電圧が−５Ｖとなり、ゲートがオフの期間その電圧が保持されるため、表示はオンとなる。パネルがポジ表示なので、全画素が表示オンとなれば、全画面が黒状態の表示となる。ソース信号をＶＳＬとＶＳＨの間の電圧レベルに設定することにより、画素は表示オンと表示オフの中間のレベルを表示することができる。また、ゲートを線順次走査しながら、各ソース信号を制御することにより、各画素容量に保持する電圧を独立に制御することができ、表示パネルに任意の画像を表示することができる。
【００２２】
本実施例の表示装置のサブパネルに設けたソース信号切り替え回路５の回路構成を図５に模式的に示す。図示するように、オフ表示ソース信号４１とメインパネルと共用のドライバＩＣ出力ソース信号８をソース信号切り替え回路５の切り替えスイッチ２２で切り替えて、サブパネル用ソース信号１１としてサブパネル画素領域６に供給する。これによって、サブパネルに全画面白状態の表示をするか、メインパネルと同じ表示をするかが制御できる。ここで、切り替えはソース信号切り替え信号１４で行う。
【００２３】
クラムシェル型携帯電話では、一般にメインパネルに表示するときはサブパネルに表示はしないことが要求されるが、サブパネル２に設けたオフ表示ソース信号発生回路４から出力されるオフ表示ソース信号で駆動することによりサブパネル２はメインパネル１の表示状態に関わらず全画面白表示になるので、その要求を満足できる。このとき、表示に使用されないサブパネル２は消費電力が低い白表示なので、電力的にも有利である。一方、サブパネル２に表示するときはドライバＩＣ３から出力されるメインパネルと共用のソース信号８で駆動することにより任意の画像表示が可能である。このときはクラムシェル型携帯電話を閉じてメインパネル１の表示は見えない状態なので、メインパネル１にサブパネル２と同じ表示がされても問題にはならない。本実施例ではサブパネルがポジ表示なので、オフ表示ソース信号を印加することで白表示となるが、ネガ表示の場合にはオフ表示ソース信号を印加することで黒表示となる。また、メインパネル１に表示するときは、サブパネル２にオフ表示ソース信号を印加するように設定したが、オフ表示ソース信号を反転させて、オン表示ソース信号とすればサブパネル２はポジ表示の場合に黒表示、ネガ表示の場合に白表示とすることができる。
【００２４】
なお、本実施例ではサブパネル２のＶＣＯＭ信号はメインパネル１のＶＣＯＭ信号と共用としたが、２つのパネルの特性の差が大きい場合は、サブパネル２にフリッカが発生する場合がある。このときはサブパネル２用のＶＣＯＭ信号として、メインパネルパネル１用のＶＣＯＭ信号から電圧レベルを変更したＶＣＯＭ信号を用いることでフリッカをなくすことができる。モジュールの構造としては、図６に示すように、メインパネル１に、ドライバＩＣ３を接続したＦＰＣ６１と、サブパネル２に必要な信号を伝達するためのＦＰＣ６２を接続した構造である。
【００２５】
メインパネル、およびサブパネルは低温ポリシリコンＴＦＴ素子を用いたアクティブ型の表示パネルを用いた。
【図面の簡単な説明】
【００２６】
【図１】本発明の表示装置のドライバと表示パネルの接続構成を示す概念図
【図２】本発明の表示装置のオフ表示ソース信号発生回路とソース信号切り替え回路を示す概念図
【図３】本発明の表示装置の表示パネルに印加する信号波形を示す図
【図４】本発明の表示装置のドライバと表示パネルの接続構成を示す概念図
【図５】本発明の表示装置のソース信号切り替え回路を示す概念図
【図６】本発明の表示装置のモジュール構成を示す側面図
【図７】従来の表示装置のドライバと表示パネルの接続構成を示す概念図
【図８】従来の表示装置のモジュール構成を示す側面図
【符号の説明】
【００２７】
１  メインパネル
２  サブパネル
３  ドライバＩＣ
４  オフ表示ソース信号発生回路
５  ソース信号切り替え回路
６  サブパネル画素領域
７  ゲート信号
８  ソース信号
９  ＶＣＯＭ信号
１０  オフ表示ソース信号
１１  サブパネル用ソース信号
１２  ソースハイレベル電圧ＶＳＨ
１３  ソースローレベル電圧ＶＳＬ
１４  ソース信号切り替え信号
２１  レベルシフタ
２２  切り替えスイッチ
４１  オフ表示ソース信号
６１  ＦＰＣ
６２  ＦＰＣ
８２  ＦＰＣ
８３  ＦＰＣ
【図１】
2006227455.tif 000003
【図２】
2006227455.tif 000004
【図３】
2006227455.tif 000005
【図４】
2006227455.tif 000006
【図５】
2006227455.tif 000007
【図６】
2006227455.tif 000008
【図７】
2006227455.tif 000009
【図８】
2006227455.tif 000010